(57)【要約】【課題】簡素且つ低コストで制御装置に異常があった場合にバッテリの過放電を防止できる電源制御装置の提供である。【解決手段】本発明の電源制御装置は、イグニッションスイッチＩＧＮのオン或いは制御装置ＭＣＵからのホールド信号の入力がある状態で制御装置ＭＣＵへ電力供給する電力供給部Ｓ１と、イグニッションスイッチＩＧＮがオフされても所定時間の間は信号を出力する遅延回路ＤＣとを備え、イグニッションスイッチＩＧＮがオフされて遅延回路ＤＣからの信号が絶たれると電力供給部Ｓ１が制御装置ＭＣＵへの電力供給を絶つよう構成される。【選択図】図１
2019073167.tif 000002
【特許請求の範囲】
【請求項１】
イグニッションスイッチのオン或いは制御装置からのホールド信号の入力がある状態で前記制御装置へ電力供給する電力供給部と、
前記イグニッションスイッチがオフされても所定時間の間は信号を出力する遅延回路とを備え、
前記電力供給部は、前記イグニッションスイッチがオフされて前記遅延回路からの信号が絶たれると前記制御装置への電力供給を絶つ
ことを特徴とする電源制御装置。
【請求項２】
前記電力供給部は、バッテリと、前記イグニッションスイッチ或いは前記遅延回路からの信号の入力で前記バッテリの電圧を変圧して前記制御装置へ出力する電圧変更回路と、前記バッテリと前記電圧変更回路との間に設けられて前記イグニッションスイッチのオン或いは制御装置からのホールド信号の入力がある状態で閉じるメインスイッチとを有し、
前記遅延回路は、前記イグニッションスイッチと前記電圧変更回路との間に設けられる
ことを特徴とする請求項１に記載の電源制御装置。
【請求項３】
前記電力供給部は、バッテリと、前記電源の電圧を変圧して前記制御装置へ出力する電圧変更回路と、前記バッテリと前記電圧変更回路との間に設けられて前記イグニッションスイッチのオン或いは制御装置からのホールド信号の入力がある状態で閉じるメインスイッチと、前記バッテリから前記制御装置までの間に設けられて前記イグニッションスイッチ或いは前記遅延回路からの信号の入力で閉じるサブスイッチとを有し、
前記遅延回路は、前記イグニッションスイッチと前記サブスイッチとの間に設けられる
ことを特徴とする請求項１に記載の電源制御装置。
【発明の詳細な説明】
【技術分野】
【０００１】
本発明は、電源制御装置に関する。
【背景技術】
【０００２】
車両には、エンジンや減衰力可変緩衝器を制御するためにマイクロコントローラが搭載されており、このようなマイクロコントローラはイグニッションスイッチがオンされると起動して制御対象を制御するようになっている。
【０００３】
マイクロコントローラへの電力供給は、電源制御装置によって制御されており、電源制御装置は、イグニッションスイッチがオンされるとマイクロコントローラへ電力供給し、イグニッションスイッチがオフされるとマイクロコントローラへの電力供給を断つ。
【０００４】
マイクロコントローラは、制御処理中にイグニッションスイッチのオフによって突然電力供給が絶たれると、正常に処理を終了できない。そのため、電源制御措置は、マイクロコントローラから処理を正常に終了することを知らせる制御終了信号の入力があるまでは、マイクロコントローラへ電力供給を維持するようになっている。
【０００５】
しかしながら、マイクロコントローラに何らかの理由で電源制御装置へ制御終了信号が出力できなくなると、電源制御装置はイグニッションスイッチがオフされてもマイクロコントローラへ継続して電力供給するので、車載のバッテリを過放電させて劣化させてしまう恐れがある。
【０００６】
そこで、従来の電源制御装置では、マイクロコントローラへ電力供給する供給ライン上に設けたリレーを制御するリレー制御回路と、リレー制御回路を駆動する駆動回路と、イグニッションスイッチがオフされると時間をカウントする計数部と、マイクロコントローラと計数部から信号が入力されて駆動回路へ制御信号を出力する信号制御回路とを備えて構成されたものがある（たとえば、特許文献１参照）。
【０００７】
このように構成された従来の電源制御装置は、イグニッションスイッチがオフされると、マイクロコントローラに異常があって制御終了信号を信号制御装置に出力しなくなっても、計数部がカウントした時間が所定時間に達すると信号制御装置の出力をロー信号に切換えて、リレーをオフさせるか電圧生成回路の動作を停止させるようになっている。
【先行技術文献】
【特許文献】
【０００８】
【特許文献１】特開２０１４−１７２５９７号公報
【発明の概要】
【発明が解決しようとする課題】
【０００９】
このように従来の電源制御装置では、マイクロコントローラに異常が発生してもマイクロコントローラへの電力供給を停止させて車載のバッテリの過放電や劣化を防止できる。
【００１０】
しかしながら、従来の電源制御装置では、計数部、マイクロコントローラと計数部からの信号を処理する信号制御回路、さらには、駆動回路といった構成が必要で複雑で高コストのシステムとなっている。
【００１１】
そこで、本発明は、簡素且つ低コストで制御装置に異常があった場合にバッテリの過放電を防止できる電源制御装置の提供を目的としている。
【課題を解決するための手段】
【００１２】
上記目的を達成するために、本発明の電源制御装置は、イグニッションスイッチのオン或いは制御装置からのホールド信号の入力がある状態で制御装置へ電力供給する電力供給部と、イグニッションスイッチがオフされても所定時間の間は信号を出力する遅延回路とを備え、イグニッションスイッチがオフされて遅延回路からの信号が絶たれると電力供給部が制御装置への電力供給を絶つよう構成される。
【００１３】
このように構成された電源制御装置は、イグニッションスイッチがオフされたにも拘らず制御装置がホールド信号を出力し続ける事態が発生しても、遅延回路が所定時間経過後に制御装置への電力供給を強制的に終了させ得る。
【００１４】
また、電源制御装置は、電力供給部がバッテリと、イグニッションスイッチ或いは遅延回路からの信号の入力でバッテリの電圧を変圧して制御装置へ出力する電圧変更回路と、バッテリと電圧変更回路との間に設けられてイグニッションスイッチのオン或いは制御装置からのホールド信号の入力がある状態で閉じるメインスイッチとを有し、遅延回路をイグニッションスイッチと電圧変更回路との間に設けて構成されてもよい。このように電源制御装置が構成されると、遅延回路の設置のみで電圧変更回路を利用して制御装置への電力供給を強制終了できる。よって、電源制御装置の構成が非常に簡素となってより効果的にコストを低減できる。
【００１５】
さらに、電源制御装置は、電力供給部がバッテリと、バッテリの電圧を変圧して制御装置へ出力する電圧変更回路と、バッテリと電圧変更回路との間に設けられてイグニッションスイッチのオン或いは制御装置からのホールド信号の入力がある状態で閉じるメインスイッチと、バッテリから制御装置までの間に設けられてイグニッションスイッチ或いは遅延回路からの信号の入力で閉じるサブスイッチとを有し、遅延回路をイグニッションスイッチとサブスイッチとの間に設けて構成されてもよい。このように電源制御装置が構成されると、遅延回路とサブスイッチの設置のみで制御装置への電力供給を強制終了できる。よって、電源制御装置の構成が非常に簡素となってより効果的にコストを低減できる。
【発明の効果】
【００１６】
本発明の電源制御装置によれば、簡素且つ低コストで制御装置に異常があった場合にバッテリの過放電を防止できる。
【図面の簡単な説明】
【００１７】
【図１】第一の実施の形態における電源制御装置の回路構成図である。
【図２】第二の実施の形態における電源制御装置の回路構成図である。
【発明を実施するための形態】
【００１８】
以下、図に示した実施の形態に基づき、本発明を説明する。なお、以下に説明する第一の実施の形態における電源制御装置Ｃ１と第二の実施の形態における電源制御装置Ｃ２とで共通する構成については同じ符号を付し、説明の重複を避けるために、第一の実施の形態の電源制御装置Ｃ１で説明した構成については第二の実施の形態の電源制御装置Ｃ２における説明では詳細な説明を省略する。
【００１９】
＜第一の実施の形態＞
電源制御装置Ｃ１は、図１に示すように、イグニッションスイッチＩＧＮのオン或いは制御装置としてのマイクロコントローラＭＣＵからのホールド信号の入力がある状態でマイクロコントローラＭＣＵへ電力供給する電力供給部Ｓ１と、イグニッションスイッチＩＧＮがオフされても所定時間の間は信号を出力する遅延回路ＤＣとを備えて構成されている。
【００２０】
以下、本例の電源制御装置Ｃ１の各部について詳細に説明する。電力供給部Ｓ１は、バッテリＢａｔと、電圧変更回路２と、メインスイッチＭＳとを備えている。そして、バッテリＢａｔとマイクロコントローラＭＣＵは、電力供給ラインＰＬによって接続されており、電力供給ラインＰＬの途中にバッテリＢａｔ側からマイクロコントローラＭＣＵ側へ向けて順にメインスイッチＭＳと電圧変更回路２とが設けられている。
【００２１】
イグニッションスイッチＩＧＮは、オンされると所定電圧のオン信号を出力し、オフされると信号を出力しないようになっている。マイクロコントローラＭＣＵは、図示しない車両に搭載された減衰力調整可能な緩衝器を制御する制御装置とされており、電圧変更回路２を介してバッテリＢａｔから電力供給を受けると起動する。マイクロコントローラＭＣＵは、起動中は所定電圧のホールド信号を出力する。マイクロコントローラＭＣＵは、信号ライン６を介してイグニッションスイッチＩＧＮが出力するオン信号を監視しており、イグニッションスイッチＩＧＮがオフされると、実行中の制御を正常に終了するまではホールド信号を出力しつづけ、制御が正常終了するとホールド信号の出力を停止する。
【００２２】
メインスイッチＭＳは、本例ではＰチャンネルのＭＯＳＦＥＴとされており、ゲートが途中で制御ラインＣＬによってグランドＧＮＤに設置されている。また、制御ラインＣＬの途中には、スイッチング素子３，４が並列に設けられている。
【００２３】
スイッチング素子３は、本実施の形態ではＮチャンネルのＭＯＳＦＥＴとされており、イグニッションスイッチＩＧＮがオンされてオン信号でなる電圧がゲートに印加されるとオンとなり、メインスイッチＭＳのゲートをグランドＧＮＤに接地させてローレベルにして、メインスイッチＭＳを閉じる。反対に、スイッチング素子３は、イグニッションスイッチＩＧＮがオフされるとオフとなり、メインスイッチＭＳを開く。よって、スイッチング素子３がオンすると、バッテリＢａｔから電圧変更回路２を通じてマイクロコントローラＭＣＵへ電力供給できる。
【００２４】
また、スイッチング素子４は、本実施の形態ではＮチャンネルのＭＯＳＦＥＴとされており、マイクロコントローラＭＣＵからゲートにホールド信号でなる電圧が印加入力されるとオンとなり、メインスイッチＭＳのゲートをグランドＧＮＤに接地させてローレベルにしてメインスイッチＭＳを閉じる。反対に、スイッチング素子４は、マイクロコントローラＭＣＵからホールド信号の入力がないとオフとなり、メインスイッチＭＳを開く。よって、スイッチング素子４がオンすると、バッテリＢａｔから電圧変更回路２を通じてマイクロコントローラＭＣＵへ電力供給できる。
【００２５】
このように、電力供給部Ｓ１は、イグニッションスイッチＩＧＮがオンとなるか或いはマイクロコントローラＭＣＵがホールド信号の入力がある場合には、メインスイッチＭＳが閉じてバッテリＢａｔからマイクロコントローラＭＣＵへ電力供給を行う。なお、メインスイッチＭＳは、本例では、ＰチャンネルのＭＯＳＦＥＴとされているが、これに限定されるものではなく、リレーであってもよい。
【００２６】
電圧変更回路２は、この場合、本例ではスイッチングレギュレータとされている。電圧変更回路２は、外部からの信号の入力があると、バッテリＢａｔの電圧をマイクロコントローラＭＣＵでの利用に適する電圧に降圧して出力し、前記信号の入力がない状態では動作を停止し、マイクロコントローラＭＣＵへ電力供給しない。そして、本例では、電圧変更回路２における外部からの信号の入力を受ける端子は、信号ライン６を介してイグニッションスイッチＩＧＮに接続されており、イグニッションスイッチＩＧＮからオン信号が入力されると動作してバッテリＢａｔの電圧を降圧してマイクロコントローラＭＣＵへ出力する。よって、電圧変更回路２は、イグニッションスイッチＩＧＮからのオン信号が途絶えると動作を停止するようになっている。電圧変更回路２は、スイッチングレギュレータに限られず、ＬＤＯレギュレータ等のＤＣ／ＤＣコンバータとされてもよい。
【００２７】
遅延回路ＤＣは、イグニッションスイッチＩＧＮと電圧変更回路２とを接続する信号ライン６の途中に設置されており、イグニッションスイッチＩＧＮと電圧変更回路２との間に設けられている。具体的には、遅延回路ＤＣは、信号ライン６の途中に設けた抵抗７と、信号ライン６の第一抵抗７よりも電圧変更回路２側とグランドＧＮＤとの間に並列して介装される第二抵抗８とコンデンサ９とを備えて構成されている。なお、信号ライン６の途中であって、マイクロコントローラＭＣＵへオン信号を入力するライン（符示せず）の分岐点よりも遅延回路ＤＣ側にはダイオードＤが設けられている。
【００２８】
遅延回路ＤＣは、イグニッションスイッチＩＧＮがオンされるとコンデンサ９が充電されて、イグニッションスイッチＩＧＮがオフされるとコンデンサ９の電荷は抵抗８によって放電されるが、イグニッションスイッチＩＧＮがオフされても所定時間の間は電圧変更回路２へこれを動作させる信号を出力し続ける。
【００２９】
イグニッションスイッチＩＧＮがオフされてから遅延回路ＤＣが信号を出力しなくなるまでの所定時間は、第二抵抗８およびコンデンサ９の容量によって設定される。この所定時間は、イグニッションスイッチＩＧＮがオフされてマイクロコントローラＭＣＵが制御を正常終了するまでに通常要する時間よりも長く設定される。なお、遅延回路ＤＣは、前述の構成に限定されるものではなく、本例では、イグニッションスイッチＩＧＮのオフによって所定時間の間、電圧変更回路２を動作させるための信号を出力できるものであればよい。
【００３０】
つづいて、以上のように構成された電源制御装置Ｃ１の動作について説明する。まず、マイクロコントローラＭＣＵが正常に動作する状況の動作について説明する。イグニッションスイッチＩＧＮをオフからオンに切換える場合について説明する。イグニッションスイッチＩＧＮがオンされると、ゲートが印加されるスイッチング素子３がオンされてメインスイッチＭＳがオンとなってバッテリＢａｔと電圧変更回路２とが接続される。また、イグニッションスイッチＩＧＮがオンされると電圧変更回路２が動作を開始して、バッテリＢａｔの電圧を降圧してマイクロコントローラＭＣＵへ出力する。マイクロコントローラＭＣＵは、バッテリＢａｔから電力供給を受けて起動し、制御を実行するとともにホールド信号をスイッチング素子４に出力する。また、イグニッションスイッチＩＧＮのオンにより遅延回路ＤＣのコンデンサ９に電荷が蓄えられる。
【００３１】
イグニッションスイッチＩＧＮをオンからオフに切換える場合について説明する。イグニッションスイッチＩＧＮをオンからオフに切換えると、ゲートへの印加が途絶えるのでスイッチング素子３がオフされる。イグニッションスイッチＩＧＮからオン信号の入力が途絶えるとマイクロコントローラＭＣＵは、実行中の制御を正常終了させる終了処理を行うが、正常終了するまではホールド信号を出力し続ける。そのため、スイッチング素子４は、オン状態を維持する。メインスイッチＭＳは、スイッチング素子３或いはスイッチング素子４がオンされているとオンとなるので、イグニッションスイッチＩＧＮがオフされてもマイクロコントローラＭＣＵからホールド信号が出力されているとオン状態を維持する。よって、イグニッションスイッチＩＧＮがオフされてもマイクロコントローラＭＣＵがホールド信号を出力しているとメインスイッチＭＳがオン状態に維持される。
【００３２】
遅延回路ＤＣは、イグニッションスイッチＩＧＮがオフされてオン信号が途絶えても、コンデンサ９に蓄えられた電荷が放電されるまでの所定時間の間は、電圧変更回路２を動作可能な状態に維持する。信号ライン６に設けたダイオードＤは、コンデンサ９の放電によってマイクロコントローラＭＣＵにオン信号が入力されるのを阻止し、コンデンサ９の放電によってマイクロコントローラＭＣＵがイグニッションスイッチＩＮＧがオンされたと判断するのを防止する。この所定時間は、前述の通り、マイクロコントローラＭＣＵが制御を正常に終了するのに通常要する時間よりも余裕をもって長くしてある。よって、マイクロコントローラＭＣＵが正常であればマイクロコントローラＭＣＵが制御を正常終了するまでは電圧変更回路２の動作が確保される。以上より、イグニッションスイッチＩＧＮがオン状態からオフされても、マイクロコントローラＭＣＵがホールド信号を停止してメインスイッチＭＳがオフされるまではバッテリＢａｔからの電力供給は途絶えない。そして、マイクロコントローラＭＣＵが制御を停止して正常に処理を終了するとホールド信号が停止されて、メインスイッチＭＳがオフされる。
【００３３】
他方、マイクロコントローラＭＣＵに異常があって、イグニッションスイッチＩＧＮがオンからオフに切換わってもマイクロコントローラＭＣＵがホールド信号を出力し続ける場合について説明する。この場合は、イグニッションスイッチＩＧＮがオフされるのでスイッチング素子３はオフされるが、ホールド信号が入力され続けるスイッチング素子４はオン状態とされてメインスイッチＭＳがオン状態とされる。電圧変更回路２は、イグニッションスイッチＩＧＮがオフされても、遅延回路ＤＣのコンデンサ９に蓄えられた電荷により信号の入力が所定時間継続されて、イグニッションスイッチＩＧＮがオフされてから所定時間の間は動作を継続する。しかし、イグニッションスイッチＩＧＮがオフされてから所定時間を経過すると遅延回路ＤＣからの信号の入力が途絶えるので、電圧変更回路２は動作を停止してマイクロコントローラＭＣＵへの電圧出力が停止されマイクロコントローラＭＣＵへの電力供給が停止する。すると、マイクロコントローラＭＣＵは、ホールド信号を出力できなくなり、スイッチング素子３のみならずスイッチング素子４もオフされてメインスイッチＭＳもオフされる。
【００３４】
このように電源制御装置Ｃ１は、イグニッションスイッチＩＧＮのオン或いはマイクロコントローラ（制御装置）ＭＣＵからのホールド信号の入力がある状態でマイクロコントローラ（制御装置）ＭＣＵへ電力供給する電力供給部Ｓ１と、イグニッションスイッチＩＧＮがオフされても所定時間の間は信号を出力する遅延回路ＤＣとを備え、イグニッションスイッチＩＧＮがオフされて遅延回路ＤＣからの信号が絶たれると電力供給部Ｓ１がマイクロコントローラ（制御装置）ＭＣＵへの電力供給を絶つ。
【００３５】
このように構成された電源制御装置Ｃ１は、イグニッションスイッチＩＧＮがオフされたにも拘らずマイクロコントローラＭＣＵがホールド信号を出力し続ける事態が発生しても、遅延回路ＤＣが所定時間経過後にマイクロコントローラＭＣＵへの電力供給を強制的に終了させ得る。
【００３６】
よって、電源制御装置Ｃ１の構成は、従来装置に比して構成が簡素で且つ低コストとなり、マイクロコントローラ（制御装置）ＭＣＵに異常があってもバッテリＢａｔの過放電を防止できる。
【００３７】
また、本例の電源制御装置Ｃ１では、電力供給部Ｓ１がバッテリＢａｔと、イグニッションスイッチＩＧＮ或いは遅延回路ＤＣからの信号の入力でバッテリＢａｔの電圧を変圧してマイクロコントローラ（制御装置）ＭＣＵへ出力する電圧変更回路２と、バッテリＢａｔと電圧変更回路２との間に設けられてイグニッションスイッチＩＧＮのオン或いはマイクロコントローラ（制御装置）ＭＣＵからのホールド信号の入力がある状態で閉じるメインスイッチＭＳとを有し、遅延回路ＤＣがイグニッションスイッチＩＧＮと電圧変更回路２との間に設けられる。このように電源制御装置Ｃ１が構成されると、遅延回路ＤＣの設置のみで電圧変更回路２を利用してマイクロコントローラ（制御装置）ＭＣＵへの電力供給を強制終了できる。よって、電源制御装置Ｃ１の構成が非常に簡素となってより効果的にコストを低減できる。
【００３８】
＜第二の実施の形態＞
図２に示すように、電源制御装置Ｃ２は、イグニッションスイッチＩＧＮのオン或いは制御装置としてのマイクロコントローラＭＣＵからのホールド信号の入力がある状態でマイクロコントローラＭＣＵへ電力供給する電力供給部Ｓ２と、イグニッションスイッチＩＧＮがオフされても所定時間の間は信号を出力する遅延回路ＤＣとを備えて構成されている。
【００３９】
電力供給部Ｓ２は、第一の実施の形態の電力供給部Ｓ１に対して、サブスイッチ１０を設けた構成となっている。また、電力供給部Ｓ２における電圧変更回路２は、メインスイッチＭＳがオンとなってバッテリＢａｔに接続されている間は降圧してマイクロコントローラＭＣＵへ絶えず出力するようになっている。このように、本例の電源制御装置Ｃ２における電力供給部Ｓ２は、電力供給部Ｓ１と異なり、電圧変更回路２はイグニッションスイッチＩＧＮからオン信号の入力を受けずして絶えず動作するようになっている。
【００４０】
サブスイッチ１０は、本例では、ＮチャンネルのＭＯＳＦＥＴでなるスイッチング素子とされており、電力供給ラインＰＬ上の電圧変更回路２とマイクロコントローラＭＣＵとの間に設けられている。サブスイッチ１０は、ゲートに電圧が印加されるとオンとなって電圧変更回路２とマイクロコントローラＭＣＵとを接続し、ゲートへの電圧の印加がないとオフとなって両者の接続を断つ。
【００４１】
サブスイッチ１０のゲートは、信号ライン１１を介してイグニッションスイッチＩＧＮに接続されており、イグニッションスイッチＩＧＮがオンされるとサブスイッチ１０もオンされる。
【００４２】
遅延回路ＤＣは、イグニッションスイッチＩＧＮとサブスイッチ１０とを接続する信号ライン１１に設けられており、イグニッションスイッチＩＧＮとサブスイッチ１０との間に設置されている。また、信号ライン１１には、第一の実施の形態における電源制御装置Ｃ１と同様の目的でダイオードＤを設けている。
【００４３】
以上が本例の電源制御装置Ｃ２における第一の実施の形態の電源制御装置Ｃ１と異なる部分であり、電源制御装置Ｃ２のその他の構成は、第一の実施の形態の電源制御装置Ｃ１と同様である。
【００４４】
以上のように構成された電源制御装置Ｃ２の動作について説明する。まず、マイクロコントローラＭＣＵが正常に動作する状況の動作について説明する。イグニッションスイッチＩＧＮをオフからオンに切換える場合について説明する。イグニッションスイッチＩＧＮがオンされると、ゲートが印加されるスイッチング素子３がオンされてメインスイッチＭＳがオンとなってバッテリＢａｔと電圧変更回路２とが接続される。また、イグニッションスイッチＩＧＮのオンにより遅延回路ＤＣのコンデンサ９に電荷が蓄えられるともに、サブスイッチ１０がオンされて電圧変更回路２とマイクロコントローラＭＣＵとが接続される。このように、メインスイッチＭＳとサブスイッチ１０がオンされるので、電圧変更回路２によって降圧された電圧がマイクロコントローラＭＣＵへ出力できる状態となって、バッテリＢａｔからマイクロコントローラＭＣＵに電力供給がなされる。そして、マイクロコントローラＭＣＵは、バッテリＢａｔから電力供給を受けて起動し、制御を実行するとともにホールド信号をスイッチング素子４に出力する。
【００４５】
イグニッションスイッチＩＧＮをオンからオフに切換える場合について説明する。イグニッションスイッチＩＧＮをオンからオフに切換えると、ゲートへの印加が途絶えるのでスイッチング素子３がオフされる。イグニッションスイッチＩＧＮからオン信号の入力が途絶えるとマイクロコントローラＭＣＵは、実行中の制御を正常終了させる終了処理を行うが、正常終了するまではホールド信号を出力し続ける。そのため、スイッチング素子４は、オン状態を維持する。メインスイッチＭＳは、スイッチング素子３或いはスイッチング素子４がオンされているとオンとなるので、イグニッションスイッチＩＧＮがオフされてもマイクロコントローラＭＣＵからホールド信号が出力されているとオン状態を維持する。よって、イグニッションスイッチＩＧＮがオフされてもマイクロコントローラＭＣＵがホールド信号を出力しているとメインスイッチＭＳがオン状態に維持される。
【００４６】
遅延回路ＤＣは、イグニッションスイッチＩＧＮがオフされてオン信号が途絶えても、コンデンサ９に蓄えられた電荷が放電されるまでの所定時間の間は、サブスイッチ１０をオン状態に維持して、バッテリＢａｔからマイクロコントローラＭＣＵへ電力供給可能な状態に維持する。この所定時間は、前述の通り、マイクロコントローラＭＣＵが制御を正常に終了するのに通常要する時間よりも余裕をもって長くしてある。よって、マイクロコントローラＭＣＵが正常であればマイクロコントローラＭＣＵが制御を正常終了するまではバッテリＢａｔからマイクロコントローラＭＣＵへの電力供給が確保される。以上より、イグニッションスイッチＩＧＮがオン状態からオフされても、マイクロコントローラＭＣＵがホールド信号を停止してメインスイッチＭＳがオフされるまではバッテリＢａｔからの電力供給は途絶えない。そして、マイクロコントローラＭＣＵが制御を停止して正常に処理を終了するとホールド信号が停止されて、メインスイッチＭＳがオフされる。
【００４７】
他方、マイクロコントローラＭＣＵに異常があって、イグニッションスイッチＩＧＮがオンからオフに切換わってもマイクロコントローラＭＣＵがホールド信号を出力し続ける場合について説明する。この場合は、イグニッションスイッチＩＧＮがオフされるのでスイッチング素子３はオフされるが、ホールド信号が入力され続けるスイッチング素子４はオン状態とされてメインスイッチＭＳがオン状態とされる。サブスイッチ１０は、イグニッションスイッチＩＧＮがオフされても、遅延回路ＤＣのコンデンサ９に蓄えられた電荷により信号の入力が所定時間継続されて、イグニッションスイッチＩＧＮがオフされてから所定時間の間はオン状態に維持される。しかし、イグニッションスイッチＩＧＮがオフされてから所定時間を経過すると遅延回路ＤＣからの信号の入力が途絶えるので、サブスイッチ１０はオフされるのでバッテリＢａｔとマイクロコントローラＭＣＵとの接続が絶たれてマイクロコントローラＭＣＵへの電力供給が停止する。すると、マイクロコントローラＭＣＵは、ホールド信号を出力できなくなり、スイッチング素子３のみならずスイッチング素子４もオフされてメインスイッチＭＳもオフされる。
【００４８】
このように電源制御装置Ｃ２は、イグニッションスイッチＩＧＮのオン或いはマイクロコントローラ（制御装置）ＭＣＵからのホールド信号の入力がある状態でマイクロコントローラ（制御装置）ＭＣＵへ電力供給する電力供給部Ｓ２と、イグニッションスイッチＩＧＮがオフされても所定時間の間は信号を出力する遅延回路ＤＣとを備え、イグニッションスイッチＩＧＮがオフされて遅延回路ＤＣからの信号が絶たれると電力供給部Ｓ２がマイクロコントローラ（制御装置）ＭＣＵへの電力供給を絶つ。
【００４９】
このように構成された電源制御装置Ｃ２は、イグニッションスイッチＩＧＮがオフされたにも拘らずマイクロコントローラＭＣＵがホールド信号を出力し続ける事態が発生しても、遅延回路ＤＣが所定時間経過後にマイクロコントローラＭＣＵへの電力供給を強制的に終了させ得る。
【００５０】
よって、電源制御装置Ｃ２の構成は、従来装置に比して構成が簡素で且つ低コストとなり、マイクロコントローラ（制御装置）ＭＣＵに異常があってもバッテリＢａｔの過放電を防止できる。
【００５１】
また、本例の電源制御装置Ｃ２では、電力供給部Ｓ２がバッテリＢａｔと、バッテリＢａｔの電圧を変圧してマイクロコントローラ（制御装置）ＭＣＵへ出力する電圧変更回路２と、バッテリＢａｔと電圧変更回路２との間に設けられてイグニッションスイッチＩＧＮのオン或いはマイクロコントローラ（制御装置）ＭＣＵからのホールド信号の入力がある状態で閉じるメインスイッチＭＳと、バッテリＢａｔからマイクロコントローラ（制御装置）ＭＣＵまでの間に設けられてイグニッションスイッチＩＧＮ或いは遅延回路ＤＣからの信号の入力で閉じるサブスイッチ１０とを有し、遅延回路ＤＣがイグニッションスイッチＩＧＮとサブスイッチ１０との間に設けられる。このように電源制御装置Ｃ２が構成されると、遅延回路ＤＣとサブスイッチ１０の設置のみでマイクロコントローラ（制御装置）ＭＣＵへの電力供給を強制終了できる。よって、電源制御装置Ｃ２の構成が非常に簡素となってより効果的にコストを低減できる。
【００５２】
また、サブスイッチ１０は、電力供給ラインＰＬ上であれば、つまり、バッテリＢａｔとマイクロコントローラＭＣＵとの間であれば、どこに設置されていてもよい。ただし、電圧変更回路２がバッテリＢａｔの電圧を降圧する場合、電圧変更回路２とマイクロコントローラＭＣＵとの間に設置されると、耐電圧の低いサブスイッチ１０を利用できるのでコスト上有利となる。
【００５３】
さらに、電圧変更回路２は、前述したところでは、電圧を降圧して制御装置へ出力しているが、制御装置が要求する電圧がバッテリＢａｔの電圧よりも高圧である場合、昇圧する回路であってもよい。
【００５４】
なお、本発明の電源制御装置Ｃ１，Ｃ２における制御装置は、減衰力調整可能な緩衝器以外の制御に使用されてもよいことは当然である。
【００５５】
以上、本発明の好ましい実施の形態を詳細に説明したが、特許請求の範囲から逸脱しない限り、改造、変形及び変更が可能である。
【符号の説明】
【００５６】
２・・・電圧変更回路、１０・・・サブスイッチ、Ｂａｔ・・・バッテリ、Ｃ１，Ｃ２・・・電源制御装置、ＤＣ・・・遅延回路、ＩＧＮ・・・イグニッションスイッチ、ＭＣＵ・・・マイクロコントローラ（制御装置）、ＭＳ・・・メインスイッチ、Ｓ１，Ｓ２・・・電力供給部
【図１】
2019073167.tif 000003
【図２】
2019073167.tif 000004